(57)【要約】【課題】  高品質の印刷物が得られる印刷用の画像データを生成する画像処理装置および画像処理プログラムを提供する。【解決手段】  ＲＩＰ１０からのＣＴ画像データおよびＬＷ画像データを通信インターフェース部２２で受信し、バッファ制御部２４を介して画像バッファ２３に格納し、画像処理部２５でＣＴ画像用補正ルックアップテーブル，ＬＷ画像用補正ルックアップテーブルを参照するとともに乱数を付加して合成し連続階調画像の領域と線画の領域との双方を含む画像を表わす画像データを生成して通信インターフェース部２６を経由してプリンタ３０に送信する。【選択図】        図３
2004206686.tif 000002
【特許請求の範囲】
【請求項１】
連続階調画像を表わすビットマップデータからなるＣＴ画像データと、線画を表わすビットマップデータからなるＬＷ画像データとを受信する画像受信部と、
前記画像受信部で受信したＣＴ画像データとＬＷ画像データとに独立に階調補正処理を施すことにより補正後ＣＴ画像データと補正後ＬＷ画像データを生成する階調補正部と、
前記階調補正部で生成された補正後ＣＴ画像データと補正後ＬＷ画像データとを合成して連続階調画像の領域と線画の領域との双方を含む画像を表わす画像データを生成する画像合成部と、
前記画像合成部で生成された画像データをプリンタに向けて送信する画像送信部とを備えたことを特徴とする画像処理装置。
【請求項２】
前記階調補正部は、ＣＴ画像データに階調補正処理を施すための、補正前のデータと補正後のデータとの対応が記述されたＣＴ画像用補正ルックアップテーブルと、ＬＷ画像データに階調補正処理を施すための、補正前のデータと補正後のデータとの対応が記述されたＬＷ画像用補正ルックアップテーブルとを有し、前記画像受信部で受信したＣＴ画像データについては該ＣＴ画像用補正ルックアップテーブルを参照して階調補正処理を施すことにより補正後ＣＴ画像データを生成するとともに前記画像受信部で受信したＬＷ画像データについては該ＬＷ画像用補正ルックアップテーブルを参照して階調補正処理を施すことにより補正後ＬＷ画像データを生成するものであることを特徴とする請求項１記載の画像処理装置。
【請求項３】
前記階調補正部は、前記画像受信部で受信したＣＴ画像データについて、前記ＣＴ画像用補正ルックアップテーブルを参照して得たデータにさらに乱数を付加することにより補正後ＣＴ画像データを生成するとともに、前記画像受信部で受信したＬＷ画像データについて、前記ＬＷ画像用補正ルックアップテーブルを参照して得たデータにさらに乱数を付加することにより補正後ＬＷ画像データを生成するものであることを特徴とする請求項２記載の画像処理装置。
【請求項４】
プログラムを実行する情報処理装置内で実行され、該情報処理装置を、
連続階調画像を表わすビットマップデータからなるＣＴ画像データと、線画を表わすビットマップデータからなるＬＷ画像データとを受信する画像受信部と、
前記画像受信部で受信したＣＴ画像データとＬＷ画像データとに独立に階調補正処理を施すことにより補正後ＣＴ画像データと補正後ＬＷ画像データを生成する階調補正部と、
前記階調補正部で生成された補正後ＣＴ画像データと補正後ＬＷ画像データとを合成して連続階調画像の領域を線画の領域との双方を含む画像を表わす画像データを生成する画像合成部と、
前記画像合成部で生成された画像データをプリンタに向けて送信する画像送信部とを備えた画像処理装置として動作させることを特徴とする画像処理プログラム。
【請求項５】
前記階調補正部は、ＣＴ画像データに階調補正処理を施すための、補正前のデータと補正後のデータとの対応が記述されたＣＴ画像用補正ルックアップテーブルと、ＬＷ画像データに階調補正処理を施すための、補正前のデータと補正後のデータとの対応が記述されたＬＷ画像用補正ルックアップテーブルとを有し、前記画像受信部で受信したＣＴ画像データについては該ＣＴ画像用補正ルックアップテーブルを参照して階調補正処理を施すことにより補正後ＣＴ画像データを生成するとともに前記画像受信部で受信したＬＷ画像データについては該ＬＷ画像用補正ルックアップテーブルを参照して階調補正処理を施すことにより補正後ＬＷ画像データを生成するものであることを特徴とする請求項４記載の画像処理プログラム。
【請求項６】
前記階調補正部は、前記画像受信部で受信したＣＴ画像データについて、前記ＣＴ画像用補正ルックアップテーブルを参照して得たデータにさらに乱数を付加することにより補正後ＣＴ画像データを生成するとともに、前記画像受信部で受信したＬＷ画像データについて、前記ＬＷ画像用補正ルックアップテーブルを参照して得たデータにさらに乱数を付加することにより補正後ＬＷ画像データを生成するものであることを特徴とする請求項５記載の画像処理プログラム。
【発明の詳細な説明】
【技術分野】
【０００１】
本発明は、受信したＣＴ画像データおよびＬＷ画像データに画像処理を施して合成しプリンタに向けて送信する画像処理装置、および情報処理装置にローディングされてその情報処理装置を上記画像処理装置として動作させるための画像処理プログラムに関する。
【背景技術】
【０００２】
従来より、印刷業界ではパーソナルコンピュータ等を使って文書の編集や印刷を行なうＤＴＰ（Ｄｅｓｋ  Ｔｏｐ  Ｐｕｂｌｉｓｈｉｎｇ）システムが広く用いられている。このＤＴＰシステムでは、パーソナルコンピュータ等の編集用ワークステーション上で編集用ソフトウェア（編集用アプリケーション）を用いて、画像を表わす絵柄，テキスト，線画等のレイアウトを決める編集作業をページ記述言語（ＰＤＬ：Ｐａｇｅ  Ｄｅｓｃｒｉｐｔｉｏｎ  Ｌａｎｇｕａｇｅ）を使用して行ない、その結果をＰＤＦ（Ｐｏｒｔａｂｌｅ  Ｄｏｃｕｍｅｎｔ  Ｆｏｒｍａｔ）データやＰＳ（Ｐｏｓｔ  Ｓｃｒｉｐｔ）データ等で出力する。出力されたＰＤＦデータやＰＳデータ等は、いわゆるプリンタサーバであるＲＩＰ（Ｒａｓｔｅｒ  Ｉｍａｇｅ  Ｐｒｏｃｅｓｓｏｒ）に入力される。
【０００３】
ＲＩＰは、入力された１ページ分のＰＤＦデータやＰＳデータ等を、連続階調画像を表わすビットマップデータからなるＣＴ（Ｃｏｎｔｉｎｕｏｕｓ  Ｔｏｎｅ）画像データと、線画を表わすビットマップデータからなるＬＷ（Ｌｉｎｅ  Ｗｏｒｋ）画像データとに変換する。さらに、ＣＴ画像データをＪＰＥＧ方式等で圧縮するとともにＬＷ画像データをＬＺＷ方式等で圧縮するというように、それぞれ異なる圧縮方式で圧縮することにより平均圧縮率を高めるように処理して画像処理装置に出力する。
【０００４】
画像処理装置は、ＢＥＰ（Ｂａｃｋ  Ｅｎｄ  Ｐｒｏｃｅｓｓｏｒ）と呼ばれる通信ユニットインターフェース装置であり、この画像処理装置は、ＲＩＰからページ単位で出力されたＣＴ画像データおよびＬＷ画像データを伸長処理し、さらにルックアップテーブルを参照して階調補正処理を施して（例えば、特許文献１参照）プリンタに向けて出力する。
【０００５】
プリンタは、画像処理装置からの画像データをページ単位で受け取って所定の印刷用紙に印刷する。プリンタとしては、必要な時に必要な情報を即座に印刷することができる、いわゆるオンデマンド印刷用プリンタが好適に用いられる。
【特許文献１】特開平９−１０７４６３号公報（段落番号００１８−段落番号００１９、第１図）
【発明の開示】
【発明が解決しようとする課題】
【０００６】
従来の画像処理装置では、１つのルックアップテーブルを参照してＣＴ画像データおよびＬＷ画像データに階調補正処理が施される。このため、ＣＴ画像データに適切な階調補正処理を施す場合は、ＬＷ画像データに適切な階調補正処理を施すことが困難な場合があり、その場合ＬＷ画像データの品質が劣化するという問題がある。また、これとは逆に、ＬＷ画像データに適切な階調補正処理を施す場合は、ＣＴ画像データに適切な階調補正処理を施すことが困難な場合があり、その場合ＣＴ画像データの品質が劣化するという問題がある。このようなＣＴ画像データおよびＬＷ画像データをプリンタに向けて送信すると、そのプリンタで印刷された連続階調画像の領域と線画の領域との双方を含む画像に、濃度が急激に変化するトーンジャンプ等が発生する。従って、プリンタで高品質の印刷物を得ることは困難であるという問題がある。
【０００７】
本発明は、上記事情に鑑み、高品質の印刷物が得られる印刷用の画像データを生成する画像処理装置および画像処理プログラムを提供することを目的とする。
【課題を解決するための手段】
【０００８】
上記目的を達成する本発明の画像処理装置は、
連続階調画像を表わすビットマップデータからなるＣＴ画像データと、線画を表わすビットマップデータからなるＬＷ画像データとを受信する画像受信部と、
上記画像受信部で受信したＣＴ画像データとＬＷ画像データとに独立に階調補正処理を施すことにより補正後ＣＴ画像データと補正後ＬＷ画像データを生成する階調補正部と、
上記階調補正部で生成された補正後ＣＴ画像データと補正後ＬＷ画像データとを合成して連続階調画像の領域と線画の領域との双方を含む画像を表わす画像データを生成する画像合成部と、
上記画像合成部で生成された画像データをプリンタに向けて送信する画像送信部とを備えたことを特徴とする。
【０００９】
本発明の画像処理装置は、連続階調画像の領域における画像を表わすＣＴ画像データと線画の領域における画像を表わすＬＷ画像データとに独立に階調補正処理を施して補正後ＣＴ画像データと補正後ＬＷ画像データを生成して合成し、連続階調画像の領域と線画の領域との双方を含む画像を表わす画像データとしてプリンタに向けて送信するものである。このため、ＣＴ画像データとＬＷ画像データとの双方に適切な階調補正処理が施されてなる高品質の印刷物が得られる印刷用の画像データが生成される。従って、プリンタで高品質の印刷物が得られる。
【００１０】
ここで、本発明の画像処理装置における上記階調補正部は、ＣＴ画像データに階調補正処理を施すための、補正前のデータと補正後のデータとの対応が記述されたＣＴ画像用補正ルックアップテーブルと、ＬＷ画像データに階調補正処理を施すための、補正前のデータと補正後のデータとの対応が記述されたＬＷ画像用補正ルックアップテーブルとを有し、上記画像受信部で受信したＣＴ画像データについてはそのＣＴ画像用補正ルックアップテーブルを参照して階調補正処理を施すことにより補正後ＣＴ画像データを生成するとともに上記画像受信部で受信したＬＷ画像データについてはそのＬＷ画像用補正ルックアップテーブルを参照して階調補正処理を施すことにより補正後ＬＷ画像データを生成するものであることが好ましい。
【００１１】
このように、ＣＴ画像データについてはＣＴ画像用補正ルックアップテーブルを参照して階調補正処理を施すことにより補正後ＣＴ画像データを生成するとともに、ＬＷ画像データについてはＬＷ画像用補正ルックアップテーブルを参照して階調補正処理を施すことにより補正後ＬＷ画像データを生成すると、連続階調画像の領域と線画の領域との双方を含む画像を表わす画像データの品質を簡単に高めることができる。
【００１２】
また、本発明の画像処理装置における上記階調補正部は、上記画像受信部で受信したＣＴ画像データについて、上記ＣＴ画像用補正ルックアップテーブルを参照して得たデータにさらに乱数を付加することにより補正後ＣＴ画像データを生成するとともに、上記画像受信部で受信したＬＷ画像データについて、上記ＬＷ画像用補正ルックアップテーブルを参照して得たデータにさらに乱数を付加することにより補正後ＬＷ画像データを生成するものであることも好ましい態様である。
【００１３】
このように、ＣＴ画像用補正ルックアップテーブル，ＬＷ画像用補正ルックアップテーブルを参照して得たデータにさらに乱数を付加することにより補正後ＣＴ画像データ，補正後ＬＷ画像データを生成すると、これら補正後ＣＴ画像データ，補正後ＬＷ画像データが適度にばらつくこととなり、従って最終的に印刷された画像における濃淡の境目がなだらかに変化してトーンジャンプ等の発生を小さく抑えることができる。
【００１４】
また、上記目的を達成する本発明の画像処理プログラムは、プログラムを実行する情報処理装置内で実行され、該情報処理装置を、
連続階調画像を表わすビットマップデータからなるＣＴ画像データと、線画を表わすビットマップデータからなるＬＷ画像データとを受信する画像受信部と、
上記画像受信部で受信したＣＴ画像データとＬＷ画像データとに独立に階調補正処理を施すことにより補正後ＣＴ画像データと補正後ＬＷ画像データを生成する階調補正部と、
上記階調補正部で生成された補正後ＣＴ画像データと補正後ＬＷ画像データとを合成して連続階調画像の領域を線画の領域との双方を含む画像を表わす画像データを生成する画像合成部と、
上記画像合成部で生成された画像データをプリンタに向けて送信する画像送信部とを備えた画像処理装置として動作させることを特徴とする。
【００１５】
本発明の画像処理プログラムは、プログラムを実行する情報処理装置内で実行され、その情報処理装置を、上記画像処理装置として動作させるものであるため、ＣＴ画像データとＬＷ画像データとの双方に適切な階調補正処理が施されることとなり、連続階調画像の領域と線画の領域との双方を含む画像を表わす画像データの品質が高まる。従って、高品質の印刷物が得られる印刷用の画像データを生成することができる。
【００１６】
ここで、本発明の画像処理プログラムにおける上記階調補正部は、ＣＴ画像データに階調補正処理を施すための、補正前のデータと補正後のデータとの対応が記述されたＣＴ画像用補正ルックアップテーブルと、ＬＷ画像データに階調補正処理を施すための、補正前のデータと補正後のデータとの対応が記述されたＬＷ画像用補正ルックアップテーブルとを有し、上記画像受信部で受信したＣＴ画像データについてはそのＣＴ画像用補正ルックアップテーブルを参照して階調補正処理を施すことにより補正後ＣＴ画像データを生成するとともに上記画像受信部で受信したＬＷ画像データについてはそのＬＷ画像用補正ルックアップテーブルを参照して階調補正処理を施すことにより補正後ＬＷ画像データを生成するものであることが好ましい。
【００１７】
このようにすると、連続階調画像の領域と線画の領域との双方を含む画像を表わす画像データの品質を簡単に高めることができる。
【００１８】
また、本発明の画像処理プログラムにおける上記階調補正部は、上記画像受信部で受信したＣＴ画像データについて、上記ＣＴ画像用補正ルックアップテーブルを参照して得たデータにさらに乱数を付加することにより補正後ＣＴ画像データを生成するとともに、上記画像受信部で受信したＬＷ画像データについて、上記ＬＷ画像用補正ルックアップテーブルを参照して得たデータにさらに乱数を付加することにより補正後ＬＷ画像データを生成するものであることも好ましい態様である。
【００１９】
このようにすると、補正後ＣＴ画像データ，補正後ＬＷ画像データが適度にばらつくこととなり、従って最終的に印刷された画像における濃淡の境目がなだらかに変化してトーンジャンプ等の発生を小さく抑えることができる。
【発明の効果】
【００２０】
本発明によれば、高品質の印刷物が得られる印刷用の画像データを生成する画像処理装置および画像処理プログラムを提供することができる。
【発明を実施するための最良の形態】
【００２１】
以下、本発明の実施形態について説明する。
【００２２】
図１は、本発明の画像処理装置の一実施形態が組み込まれたシステムを示す図である。
【００２３】
図１には、ＲＩＰ（Ｒａｓｔｅｒ  Ｉｍａｇｅ  Ｐｒｏｃｅｓｓｏｒ）１０と、コンピュータ１と、プリンタ３０とが示されている。コンピュータ１には、後述する画像処理プログラムがアップロードされ実行されることにより、このコンピュータ１が本発明の画像処理装置の一実施形態として動作する。
【００２４】
ＲＩＰ１０は、図示しないパーソナルコンピュータ等の編集用ワークステーションからのＰＤＦデータやＰＳデータ等を入力し、入力されたＰＤＦデータやＰＳデータ等を、連続階調画像を表わすビットマップデータからなるＣＴ画像データと、線画を表わすビットマップデータからなるＬＷ画像データとに変換する。さらに、ＣＴ画像データをＪＰＥＧ方式等で圧縮するとともにＬＷ画像データをＬＺＷ方式等で圧縮するというように、それぞれ異なる圧縮方式で圧縮することにより平均圧縮率を高めるように処理してコンピュータ１に出力する。
【００２５】
コンピュータ１は、ＢＥＰ（Ｂａｃｋ  Ｅｎｄ  Ｐｒｏｃｅｓｓｏｒ）と呼ばれる通信ユニットＩ／Ｆ装置であり、このコンピュータ１は、ＲＩＰ１０からのＣＴ画像データとＬＷ画像データを受信し、後述するようにして、受信したＣＴ画像データとＬＷ画像データとに独立に倍率補正処理を施して合成し、プリンタ３０に向けて送信する。
【００２６】
プリンタ３０は、コンピュータ１からの画像データを受信して所定の印刷用紙に印刷する。このプリンタ３０には、必要な時に必要な情報を即座に印刷することができる、いわゆるオンデマンド印刷用のプリンタが好適に用いられる。
【００２７】
図２は、図１に示すコンピュータのハードウェア構成を示す図である。
【００２８】
このコンピュータ１は、各種プログラムを実行するＣＰＵ２１、ハードディスク装置３に格納されたプログラムが読み出されＣＰＵ２１での実行のために展開される主メモリ２、各種プログラムやデータ等が保存されたハードディスク装置３、フレキシブルディスク（以下、ＦＤと省略する）４＿１が装填され、その装填されたＦＤ４＿１をアクセスするＦＤドライブ４、ＣＤ−ＲＯＭ５＿１をアクセスするＣＤ−ＲＯＭドライブ５、図１に示すＲＩＰ１０と接続され、そのＲＩＰ１０からの制御コマンド,ＣＴ画像データ,ＬＷ画像データを受信する通信インターフェース部２２、プリンタ３０と接続され、そのプリンタ３０に画像データを送信する通信インターフェース部２６を備えている。また、このコンピュータ１は、ＣＰＵ２１からの指示に応じて画像を表示する画像表示装置８、キー操作に応じた各種の情報を入力するキーボード６、および、画像表示装置８の画面上の任意の位置を指定することにより、その位置に表示された、例えばアイコン等に応じた指示を入力するマウス７も備えている。これらの各種要素は、バス９を介して相互に接続されている。
【００２９】
ここで、ＣＤ−ＲＯＭ５＿１には、本発明の画像処理プログラムの一実施形態の画像処理プログラムが記憶されている。そのＣＤ−ＲＯＭ５＿１はＣＤ−ＲＯＭドライブ５に装填され、そのＣＤ−ＲＯＭ５＿１に記憶された画像処理プログラムがこのコンピュータ１にアップロードされてハードディスク装置３に記憶される。そして、この画像処理プログラムが起動されて実行されることにより、本発明の画像処理装置の一実施形態である後述する画像処理装置２０として動作する。
【００３０】
図３は、画像処理装置２０の機能ブロックを示す図、図４は、図３に示す画像処理部の構成を示す図、図５は、図３に示す画像処理装置を動作させるための画像処理プログラムが記憶されたＣＤ−ＲＯＭ５＿１を示す概念図である。
【００３１】
先ず、図５に示すＣＤ−ＲＯＭ５＿１に記憶された画像処理プログラム２７について説明する。この画像処理プログラム２７は、本発明にいう画像処理プログラムの一例に相当するものであり、この画像処理プログラム２７は、画像受信処理ルーチン部２７＿１、階調補正処理ルーチン部２７＿２、画像合成処理ルーチン部２７＿３、および画像送信処理ルーチン部２７＿４で構成されている。尚、画像処理プログラム２７の各部の細部については、図３に示す画像処理装置２０の各部の作用とあわせて説明する。
【００３２】
次に、図３に示す画像処理装置２０の機能ブロックについて説明する。この画像処理装置２０には、ＣＰＵ２１と、通信インターフェース部２２と、画像バッファ２３と、バッファ制御部２４と、画像処理部２５と、通信インターフェース部２６とが備えられている。
【００３３】
ＣＰＵ２１は、各種プログラムを実行することにより、この画像処理装置２０全体を制御する。
【００３４】
通信インターフェース部２２は、ＲＩＰ１０からの制御コマンドを制御コマンド通信路を経由して受信するとともに、ＲＩＰ１０からのＣＴ画像データとＬＷ画像データを画像データ通信路を経由して受信する。
【００３５】
画像バッファ２３は、通信インターフェース部２２で受け取ったＣＴ画像データとＬＷ画像データを格納しておくバッファである。
【００３６】
バッファ制御部２４は、通信インターフェース２２部からのＣＴ画像データとＬＷ画像データを、画像バッファ２３に格納するように制御する役割を担うものである。
【００３７】
上述した、通信インターフェース部２２,画像バッファ２３,バッファ制御部２４が、本発明にいう画像受信部の一例に相当し、これら通信インターフェース部２２,画像バッファ２３,バッファ制御部２４が、図５に示す画像受信処理ルーチン部２７＿１のプログラムの作用を受けて動作し、通信インターフェース部２２で受け取ったＣＴ画像データとＬＷ画像データを、バッファ制御部２４で画像バッファ２３に格納するように制御する。
【００３８】
画像処理部２５については、図４を参照して説明する。画像処理部２５は、図４に示すように、ＣＴ画像用補正ＬＵＴ（ルックアップテーブル）２５＿１ａ，ＣＴ画像用階調補正処理回路２５＿１ｂ，ＬＷ画像用階調補正処理回路２５＿１ｃ，ＬＷ画像用補正ＬＵＴ２５＿１ｄからなる階調補正部２５＿１と、画像合成部２５＿２から構成されている。
【００３９】
階調補正部２５＿１は、本発明にいう階調補正部の一例に相当し、図５に示す階調補正処理ルーチン部２７＿２のプログラムの作用を受けて動作し、以下のようにして、バッファ制御部２４からのＣＴ画像データとＬＷ画像データとに独立に階調補正処理を施す。
【００４０】
階調補正部２５＿１を構成するＣＴ画像用補正ＬＵＴ２５＿１ａは、ＣＴ画像データに階調補正処理を施すための、補正前のデータと補正後のデータとの対応が記述されたＣＴ画像用補正ルックアップテーブルである。
【００４１】
ＣＴ画像用階調補正処理回路２５＿１ｂは、バッファ制御部２４からのＣＴ画像データ（ＣＴ）について、ＣＴ画像用補正ＬＵＴ２５＿１ａを参照して階調補正処理を施すことにより補正後ＣＴ画像データを生成する。詳細には、ＣＴ画像用階調補正処理回路２５＿１ｂは、ＣＴ画像データについて、ＣＴ画像用補正ＬＵＴ２５＿１ａを参照して得たデータにさらに乱数を付加することにより補正後ＣＴ画像データを生成する。
【００４２】
一方、ＬＷ画像用補正ＬＵＴ２５＿１ｄは、ＬＷ画像データに階調補正処理を施すための、補正前のデータと補正後のデータとの対応が記述されたＬＷ画像用補正ルックアップテーブルである。
【００４３】
ＬＷ画像用階調補正処理回路２５＿１ｃは、バッファ制御部２４からのＬＷ画像データ（ＬＷ）についてＬＷ画像用補正ＬＵＴ２５＿１ｄを参照して階調補正処理を施すことにより補正後ＬＷ画像データを生成する。詳細には、ＬＷ画像用階調補正処理回路２５＿１ｃは、ＬＷ画像データについて、ＬＷ画像用補正ＬＵＴ２５＿１ｄを参照して得たデータにさらに乱数を付加することにより補正後ＬＷ画像データを生成する。
【００４４】
画像合成部２５＿２は、本発明にいう画像合成部の一例に相当し、図５に示す画像合成処理ルーチン部２７＿３のプログラムの作用を受けて動作し、階調補正部２５＿１を構成するＣＷ画像用階調補正処理回路２５＿１ｂとＬＷ画像用階調補正処理回路２５＿１ｃとで生成された補正後ＣＴ画像データと補正後ＬＷ画像データとを合成して連続階調画像の領域と線画の領域との双方を含む画像を表わす画像データを生成する。生成された画像データは、通信インターフェース部２６に出力される。
【００４５】
通信インターフェース部２６は、本発明にいう画像送信部の一例に相当し、図５に示す画像送信処理ルーチン部２７＿４のプログラムの作用を受けて動作し、ＣＰＵ２１からの制御コマンドおよび画像合成部２５＿２で生成された画像データを、制御コマンド通信路および画像データ通信路を経由してプリンタ３０に送信する。
【００４６】
本実施形態の画像処理装置２０は、連続階調画像の領域における画像を表わすＣＴ画像データについてはＣＴ画像用補正ＬＵＴ２５＿１ａを参照して階調補正処理を施すことにより補正後ＣＴ画像データを生成するとともに、線画の領域における画像を表わすＬＷ画像データについてはＬＷ画像用補正ＬＵＴ２５＿１ｄを参照して階調補正処理を施すことにより補正後ＬＷ画像データを生成するものである。このため、ＣＴ画像データとＬＷ画像データとの双方に適切な階調補正処理が施されることとなり、連続階調画像の領域と線画の領域との双方を含む画像を表わす画像データの品質が高まる。従って、高品質の印刷物が得られる印刷用の画像データを生成することができる。
【００４７】
また、ＣＴ画像用階調補正処理回路２５＿１ｂ，ＬＷ画像用階調補正処理回路２５＿１ｃにおいて、ＣＴ画像用補正ＬＵＴ２５＿１ａ，ＬＷ画像用補正ＬＵＴ２５＿１ｄを参照して得たデータにさらに乱数を付加することにより補正後ＣＴ画像データ，補正後ＬＷ画像データを生成するものであるため、それら補正後ＣＴ画像データ，補正後ＬＷ画像データが適度にばらつくこととなり、従って最終的に印刷された画像における濃淡の境目がなだらかに変化してトーンジャンプ等の発生を小さく抑えることができる。
【００４８】
尚、本実施形態では、ＣＴ画像用補正ＬＵＴ２５＿１ａ，ＬＷ画像用補正ＬＵＴ２５＿１ｄを参照するとともに乱数を付加してＣＴ画像データとＬＷ画像データとに階調補正処理を施すことにより補正後ＣＴ画像データと補正後ＬＷ画像データを生成する階調補正部２５＿１の例で説明したが、本発明にいう階調補正部は、これに限られるものではなく、ＣＴ画像データとＬＷ画像データとに独立に階調補正を施すことにより補正後ＣＴ画像データと補正後ＬＷ画像データを生成するものであればよい。
【図面の簡単な説明】
【００４９】
【図１】本発明の画像処理装置の一実施形態が組み込まれたシステムを示す図である。
【図２】図１に示すコンピュータのハードウェア構成を示す図である。
【図３】画像処理装置２０の機能ブロックを示す図である。
【図４】図３に示す画像処理部の構成を示す図である。
【図５】図３に示す画像処理装置を動作させるための画像処理プログラムが記憶されたＣＤ−ＲＯＭ５＿１を示す概念図である。
【符号の説明】
【００５０】
１  コンピュータ
２  主メモリ
３  ハードディスク装置
４  ＦＤドライブ
４＿１  ＦＤ
５  ＣＤ−ＲＯＭドライブ
５＿１  ＣＤ−ＲＯＭ
６  キーボード
７  マウス
８  画像表示装置
９  バス
１０  ＲＩＰ
２０  画像処理装置
２１  ＣＰＵ
２２，２６  通信インターフェース部
２３  画像バッファ
２４  バッファ制御部
２５  画像処理部
２５＿１  階調補正部
２５＿１ａ  ＣＴ画像用補正ＬＵＴ
２５＿１ｂ  ＣＴ画像用階調補正処理回路
２５＿１ｃ  ＬＷ画像用階調補正処理回路
２５＿１ｄ  ＬＷ画像用補正ＬＵＴ
２５＿２  画像合成部
２７  画像処理プログラム
２７＿１  画像受信処理ルーチン部
２７＿２  階調補正処理ルーチン部
２７＿３  画像合成処理ルーチン部
２７＿４  画像送信処理ルーチン部
３０  プリンタ
【図１】
2004206686.tif 000003
【図２】
2004206686.tif 000004
【図３】
2004206686.tif 000005
【図４】
2004206686.tif 000006
【図５】
2004206686.tif 000007